(57)【特許請求の範囲】
【請求項１】
表面材を成形して前面基部と、その側端に差込片と、他側端に嵌合溝と釘打片とを形成し、
その裏面に裏面紙により覆った、発泡合成樹脂による裏打材を構成する建築用パネルを、複数連続接続し施工する壁構造に関して、
建築用パネルの施工現場においての切り込みによる端部である切込端や、建築用パネルの長手方向の製造時に置ける端部である切断端を被覆する、
金属板や合成樹脂板からなる被覆板と、その一端を裏面側にＬ字形に折り曲げた被覆固定板とを形成する被覆材であり、
その被覆固定板を上記の建築用パネルの裏打材に貼り付け固定するとともにその被覆板により、その建築用パネルの切込端や切断端を覆うことを特徴とする吸水防止壁構造。
【請求項２】
請求項１記載の吸水防止壁構造において、建築用パネルの切断端と他の建築用パネル切断端とを、接続部材により接続する壁構造に関して、
請求項１記載の吸水防止壁構造において使用される被覆材の被覆固定板を上記の建築用パネルの裏打材に貼り付け固定するとともにその被覆板により、その建築用パネルの切断端を覆うことを特徴とする吸水防止壁構造。
【請求項３】
請求項１記載の吸水防止壁構造において、建築用パネルの切断端と他の建築用パネル切断端とを、封止片を取り付けた金属板とその金属板に対してＬ字形に外方に曲げた金属板からなる接続部材により接続する壁構造に関して、
請求項１記載の吸水防止壁構造において使用される被覆材の被覆固定板を上記の建築用パネルの裏打材に貼り付け固定するとともにその被覆板により、その建築用パネルの切断端を覆い、
接続部材に取り付けた、表面側に鋭角的に分岐する軟質合成樹脂による複数の薄板の封止片を、
建築用パネルの切断端を覆ったその被覆板に押し付けることを特徴とする吸水防止壁構造。
【請求項４】
請求項１記載の吸水防止壁構造において使用される被覆材の被覆固定板を建築用パネルの裏打材に貼り付け固定するとともにその被覆板により、その建築用パネルの切込端や切断端を覆われた建築用パネルに関して、
その裏面紙と釘打片との隙間を粘着テープを重ねて塞ぐ第１の手段か、その裏面紙を延長して釘打片の先端を覆う第２の手段の、
表面材と裏面紙との隙間からの吸水を防止する何れかの手段の、
少なくとも１手段を備えることを特徴とする吸水防止建築用パネル。
【発明の詳細な説明】
【技術分野】
【０００１】  この発明は、雨水による建築用パネルの吸水を防止して、壁面の物性の低下を防ぐ、建築用パネルの吸水防止壁構造と建築用パネルとに関する。
【背景技術】
【０００２】  雨水による建築用パネルの吸水を防止して、壁面の物性の低下を防ぐ、建築用パネルの吸水防止壁構造とそれに使用する壁部材には、建築用パネルと他の建築用パネルとの間を、耐候性を持つ定幅面と建築用パネルの端部に接触する可撓性のある水密面を形成した接続部材により接続する従来例がある。
（例えば、特許文献１参照）。
【特許文献１】  特開２００３−３５８１号公報
【発明の開示】
【発明が解決しようとする課題】
【０００３】  建築用パネルと他の建築用パネルとの間の目地を揃えるための耐候性を持つ定幅面と、建築用パネルの端部に接触する可撓性のある水密面を形成した接続部材により接続する従来例の場合は、定幅面と建築用パネルの前面基部との間の隙間が室外に面しているため風雨に晒されて防水性が低下する問題がある。
【課題を解決するための手段】
【０００４】
この発明は、表面材を成形して前面基部と、その側端に差込片と、他側端に嵌合溝と釘打片とを形成し、
その裏面に裏面紙により覆った、発泡合成樹脂による裏打材を構成する建築用パネルを、複数連続接続し施工する壁構造に関して、
建築用パネルの施工現場においての切り込みによる端部である切込端や、建築用パネルの長手方向の製造時に置ける端部である切断端を被覆する、
金属板や合成樹脂板からなる被覆板と、その一端を裏面側にＬ字形に折り曲げた被覆固定板とを形成する被覆材であり、
その被覆固定板を上記の建築用パネルの裏打材に貼り付け固定するとともにその被覆板により、その建築用パネルの切込端や切断端を覆うことを手段とする吸水防止壁構造である。
【発明の効果】
【０００５】  上記のような、この発明による吸水防止壁構造と吸水防止建築用パネルには、次のような効果がある。【０００６】Ａ．この発明による吸水防止壁構造と吸水防止建築用パネルには、雨水が建築用パネルの裏面紙と釘打片との隙間や切込端や切断端から発泡合成樹脂に吸収されることによる次の問題による物性の低下を防止する効果があり、
ａ．雨水が発泡合成樹脂のセルに入り、その事により裏面紙等により雨水の蒸発が妨げられて雨水が長期滞留し、
ｂ．雨水が発泡合成樹脂のセルに入ることにより、断熱性能を担う空気層が減少し断熱性能が低下する、
ｃ．また、金属板の裏面に長期滞留する雨水により、金属板の錆が発生する、
ｄ．そして、雨水による湿潤と乾燥による裏面紙等の収縮により、金属パネルがそり美観が低下する、
等の問題の発生が防止できる。【０００７】Ｂ．建築用パネルの切込端や切断端を被覆材により覆う場合、次の効果があり、
ａ．建築用パネルを縦張り施工する場合には、
イ．建築用パネルの前面基部を伝って流れる雨水が切断端に回り込み、毛細管現象により発泡合成樹脂に吸収されることや、
ロ．建築用パネルの切断端が、水切の流水面に流れて溢れた雨水や、風に吹き付けられた雨水に触れて、毛細管現象により発泡合成樹脂に吸収され、
ハ．その事を防止するため、切断端の裏打材を施工現場において切り取ることが行われている、
ニ．切断端を被覆材により覆うことにより、施工現場での切断端の裏打材の切り取り作業が不要となり施工性が向上し、
ｂ．被覆材が塗装による被覆膜の場合は、ラインでの生産が容易になり、コストも低くなり、
ｃ．被覆材が粘着テープや裏面紙からなる被覆紙の場合は、
イ．ラインでの生産が比較的に容易になり、設備投資も少なくなり、
ロ．耐水性の欠陥の無い被覆材が作りやすくなり、
ｄ．被覆材が金属板や合成樹脂板からなる被覆板の場合は、
イ．被覆板の耐久性が向上し、
ロ．建築用パネルを縦張り施工する場合には、、裏打材の目隠しとして、切断端を上向きに開口する孔付見切縁等により覆うことが行われているが、
ハ．孔付見切縁内に泥汚れが溜まって詰まり、孔付見切縁内に溜まった雨水が、切断端から毛細管現象により発泡合成樹脂に吸収され問題があるが、
ニ．被覆板が耐久性があるため、孔付見切縁内が不要になり、施工性が向上し、孔付見切縁内に溜まった雨水による金属板の腐食等が防止し壁の耐久性が向上し、
ホ．施工現場において必要な片側の切断端に施工すれば良く、無駄が省け、
ヘ．建築用パネルの切断端の端面形状に合った変形しない被覆板が得られて、被覆性能が向上する。【０００８】Ｃ．長尺の建築用パネルの切込端や切断端と他の建築用パネルの切込端や切断端とを接続部材により接続し、前記の被覆材により建築用パネルの切断端を覆う場合、次の効果があり、
ａ．接続部材と被覆材との相乗効果により吸水防止性能が向上し、
ｂ．接続部材により被覆材が保護されて、
イ．塗装による被覆膜や、粘着テープや裏面紙からなる被覆紙などの比較的に耐久性の弱い被覆材も利用可能になり、
ロ．コストが低下し、
ｃ．また、現場においての塗装や粘着テープや裏面紙等の貼り付けなどの、施工も見栄えを気にしなくてよくなり、施工性が向上する。【０００９】Ｄ．長尺の建築用パネルの切込端や切断端と他の建築用パネルの切込端や切断端とを接続部材により接続し、接続部材に取り付けた、表面側に鋭角的に分岐する軟質合成樹脂による複数の薄板の封止片により、建築用パネルの切込端や切断端を覆う場合、次の効果があり、
ａ．接続部材に取り付けた封止片は、表面側に鋭角的に分岐する軟質合成樹脂による薄板であるため、
イ．屋外から風圧と共に雨水が侵入した場合でも、風圧により封止片が建築用パネルの切込端や切断端に柔軟に接触して密着する方向に押されて、それらの切込端や切断端を密接して覆い、
ロ．吸水防止性能が向上し、
ｂ．また封止片は複数の薄板によるため、
イ．建築用パネルの前面基部と接続部材との隙間から侵入した雨水が、封止片と次の封止片との間の空間を伝って、雨水が排除され、
ロ．より吸水防止性能が向上し、
ｃ．また、接続部材が釘打材とその釘打材に差し込み施工する被覆材との組材であり、その釘打材に封止片を取り付けた場合は、
イ．建築用パネルの切込端や切断端が封止片に接触する状況を確認しながら施工可能になり、
ロ．施工性が向上するとともに、施工の信頼性が向上し、
ｄ．また、接続部材が釘打材とその釘打材に差し込み施工する被覆材との組材であり、その被覆材に封止片を取り付けた場合は、
イ．建築用パネルの施工中に、切込端や切断端が封止片を、押しつぶしたり、引きちぎったりトラブルが無く施工可能になり、
ロ．施工性が向上し、
ｅ．また、接続部材が釘打材とその釘打材に差し込み施工する被覆材との組材以外の、端封止縁に封止片を取り付けた場合は、
イ．壁下地の様々な施工の誤差により生じる、壁下地の垂直からのずれに応じた、位置に封止縁を取り付けることが可能になり、
ロ．建築用パネルの切込端や切断端が封止片に接触する状況を一定にすることが可能になり、切込端や切断端と封止片との間が、
ハ．開きすぎて封止片が覆えなくなったり、
ニ．狭くなりすぎて封止片が詰まりすぎて、雨水を排除する空間が無くなったりして、
ホ．吸水防止性能が低下することを防止し、吸水防止性能が向上する。【００１０】Ｅ．表面材と裏面紙との隙間からの吸水を防止する手段を備える、吸水防止建築用パネルの場合は、次の効果があり、
ａ．建築用パネルを横張りした壁面の裏面側に、次のようにして入り込んだ雨水が、
イ．建築用パネルの嵌合溝と差込片との隙間から入り込んだ雨水が、風圧に押されて釘打片を乗り越えることや、
ロ．建築用パネルの接続部の雨仕舞の不備により、雨水が侵入すること等により、
ハ．建築用パネルの裏面を伝って、表面材と裏面紙との隙間に溜まり広がった雨水が裏面材の発泡合成樹脂に染みこみ、
ｂ．建築用パネルの全長に亘って吸水による物性の低下が発生する問題を、次のようにして防止し、
イ．建築用パネルの裏面側に入り込んだ雨水が、表面材と裏面紙との隙間に入らず、裏面材の発泡合成樹脂に吸水されずに、
ロ．さらに、裏面紙を伝って下方の建築用パネルに伝わり、それを繰り返して、壁面の下方から排出される。【００１１】Ｆ．吸水防止建築用パネルの次の各々の場合は、次の効果があり、
ａ．建築用パネルの裏面紙と釘打片との隙間を粘着テープを重ねて塞ぐ場合は、
イ．ラインでの生産が比較的に容易になり、設備投資も少なくなり、
ロ．吸水防止の欠陥の無い吸水防止建築用パネルが作りやすくなり、
ｂ．建築用パネルの裏面紙を延長して釘打片の先端を覆う場合は、
イ．建築用パネルの施工時に裏面が全て裏面紙で覆われた、壁面の裏面の美観が向上し、
ｃ．建築用パネルの裏面紙を接着剤により釘打片に連続して接着する場合は、
イ．ラインでの生産が容易になり、設備投資も少なくなる。【００１２】Ｇ．窓枠の上に水切と孔付見切縁、窓枠の脇と窓枠の下に見切縁を施工し、それらの見切縁の間を隅角被覆で覆い、建築用パネルに切り込みを入れた切込端を被覆材で覆う場合、次の効果があり、
ａ．窓廻部の納めは、
イ．連続した建築用パネル群の中に、矩形の窓枠を納めるため、建築用パネルに垂直と水平に交差する切り込みを入れる建築用パネルの現場加工と、その切込端を納める複雑な施工が必要となり、
ロ．窓上から流れてきた雨水を排水し、納まりよく施工することが困難であった、
ｂ．そのため、この発明では、
イ．窓上から流れてきた雨水を、一旦、孔付見切縁により受けて、その見切水抜孔から排水し、
ロ．その排水を、その下方に設けた水切の流水面により受けて、水切面を伝い水切脚から壁組外に排出され、雨仕舞性能が向上し、
ハ．前記の孔付見切縁と、窓枠の脇と窓枠の下に施工した見切縁とを隅角被覆で覆い、納まりよく施工することを可能とし、意匠性が向上し、
ニ．窓枠の周囲に施工するための、建築用パネルの切込端を被覆材で覆い、吸水防止性能が向上し、
ホ．上記した建築用パネルの壁組が、容易に施工可能になる。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。【００１４】Ｂ．この発明に使用される建築用パネルは釘打ち固定には、
ａ．次に代表される、固定具を使用して、建築用パネルの釘打片を固定し、
イ．セルフドリリングタッピングビス
ロ．釘
ハ．ホッチキス
ニ．木ネジ
ホ．コースレッド等を使用する。【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して積層することや、
ニ．また、裏面材を欠いた発泡合成樹脂のみの、裏打材とする事も可能であり、
ｂ．目地組材や出隅組材や端封止縁の封止材には、
イ．次に代表される軟質合成樹脂に
○ポリ塩化ビニル樹脂等
ロ．次に代表されるゴム
○合成ゴム
○天然ゴム等
が使用され、
ｃ．溝密閉材には、
ｃ．溝密閉材には、
イ．次に代表される発泡軟質
○塩ビ独立発泡シール材等
ロ．次に代表されるゴム
○合成ゴム
○天然ゴム等
ハ．次に代表されるホットメルト接着剤
○軟質ホットメルト接着剤
○発泡軟質ホットメルト接着剤等
ｄ．被覆材に合成樹脂板が使用される場合は、
イ．硬質合成樹脂板
ロ．軟質合成樹脂板等が使用される。【００１６】  発明の実施例について、次の、実施例１、実施例２、実施例３、実施例４、及び実施例５により、図面を参照して説明する。
【実施例１】
【００１７】  図１，図２，図３，図４，図５，図６，及び図７は、この発明の実施例１を示すものである。【００１８】Ａ．図２に示す、実施例１においての建築用パネル１は、
ａ．金属板８による長尺の表面材１ａを成形して、ほぼ平坦な前面基部１ｂを形成し、
ｂ．その前面基部１ｂの一側端を裏面側に折り返して、さらに、クランク状に表面側に折り曲げ、さらに、Ｕ字形に表面側に折り曲げて、その先端を裏面側に折り返した差込片１ｅを形成し、
ｃ．前面基部１ｂの他側端に、次のような、嵌合溝１ｆと、釘打片１ｇとを形成し、
イ．前記の前面基部１ｂを、くの字形に裏面側に折り曲げて、さらに、クランク状に裏面側に折り曲げて、そして、裏面側に折り返して、Ｕ字形に表面側に折り曲げて、嵌合溝１ｆを形成し、
ロ．その嵌合溝１ｆを延長して、先端を表面側に折り返した釘打片１ｇを形成し、
ｄ．また、成形した表面材１ａの裏面側に、裏面紙１ｉにより覆った、発泡合成樹脂１０ｂによる次のような、裏打材１ｈを形成し、
イ．裏面紙１ｉの長手方向に沿う端部である裏紙側端１ｊから裏面紙１ｉが、差込片１ｅから前面基部１ｂ側に続く表面材１ａの裏面に沿って曲がり、さらに、その差込片１ｅと反対方向へ曲がって前面基部１ｂとほぼ平行となり、
ロ．その差込片１ｅ側の近傍において、クランク状に裏面紙１ｉの表面側に曲がり、前面基部１ｂとほぼ平行になり釘打片１ｇ側に続き、
ハ．そして、釘打片１ｇ側において裏面紙１ｉの裏面側に折れ曲がり、次に、他端の側方の裏紙側端１ｊまでが、嵌合溝１ｆの前面基部１ｂ側に続く表面材１ａの裏面に沿って曲がり、
ニ．その裏面紙１ｉと前面基部１ｂとの間に充填された、発泡合成樹脂１０ｂを覆い、平坦な裏打材１ｈを形成し、
ｅ．それらの表面材１ａと裏打材１ｈとを切断して、長手方向の両端に切断端１ｋを形成し、
ｆ．それらの切断端１ｋを塗料１０ｄにより塗装して、被覆材６としての被覆膜６ａにより被覆された切断端１ｋを形成する。【００１９】Ｂ．図３に示す、実施例１においての目地組材２は、次のような目地釘打材２ａと目地材２ｉから構成し、
ａ．その目地釘打材２ａは、
イ．長尺の金属板８を成形して、表面側に開口するＵ字形に折り曲げて、目地嵌合溝２ｆを形成し、
ロ．その両端を、表面側にクランク状に折り曲げて、さらに、裏面側にくの字形に折り曲げて目地口突起２ｅを形成し、
ハ．そして、その目地口突起２ｅを裏面側に鋭角折り曲げて、目地嵌合片２ｄを形成し、
ニ．その目地嵌合片２ｄをＬ字形に表面側に折り曲げて、その途中に次の目地打突起２ｃを持ち、先端を表面側に折り返した目地釘打片２ｂを形成し、
○その目地打突起２ｃは、裏面側に開口する断面半円状の樋状に形成し、
ホ．また、その両側の目地打突起２ｃまでの目地釘打片２ｂと目地嵌合片２ｄとの表面側に、次の目地封止材２ｇを貼り付けてあり、
○その目地封止材２ｇは、軟質合成樹脂１０ａを成形して、
○目地打突起２ｃまでの目地釘打片２ｂと目地嵌合片２ｄとに合わせた、軟質合成樹脂１０ａによるＬ字形の目地嵌合片２ｄ側の薄板から、
○表面側に鋭角的に分岐する軟質合成樹脂１０ａによる薄板の、複数の目地封止片２ｈが、枝分かれして形成され、
ｂ．その目地材２ｉは、
イ．長尺の金属板８を成形して、ほぼ平坦で細長い面の両側を裏面側に折り返して、目地面２ｊを形成し、
ロ．さらに、目地面２ｊの裏面側の中央において、Ｌ字形に表面側に折り曲げて互いに沿わせて、目地差込片２ｋを形成し、
ハ．その目地差込片２ｋの両側に、次の構成の目地切起２ｌを複数形成し、
○その目地切起２ｌは、目地差込片２ｋの金属板８を、半裁の船形に形成し、
○その船形は、船縁を目地面２ｊの反対側に向けて、その船縁側が切断され、金属板８の数倍の段差を形成し、
○その目地差込片２ｋの両側に交互に突起し、
ｃ．目地組材２の使用状態のとき、
イ．目地釘打材２ａの目地嵌合溝２ｆに、目地材２ｉの目地差込片２ｋを差し込み、
ロ．目地材２ｉの目地差込片２ｋが、目地釘打材２ａの目地口突起２ｅに挟まれる摩擦力と、
ハ．目地材２ｉの目地切起２ｌが、目地釘打材２ａの目地口突起２ｅに引っ掛かる抵抗力とにより装着され、目地組材２を構成する。【００２０】Ｃ．図１，図４，図５，図６，及び図７に示す、実施例１の壁組７の施工は、
ａ．複数の柱７ｂ等により構成される、壁下地７ａに、
ｂ．壁組７においての、建築用パネル１と他の建築用パネル１との接続部７ｄの柱７ｂの上に、
イ．その柱７ｂに、目地組材２の目地釘打材２ａの目地釘打片２ｂを釘打ち固定し、
ｃ．そのようにして、施工された壁下地７ａの上に、次のように複数の建築用パネル１を横張り施工し、
イ．前記の施工された、目地釘打材２ａの目地封止材２ｇの目地封止片２ｈに、建築用パネル１の、塗料１０ｄによる被覆膜６ａにより被覆された切断端１ｋを押し付けて、建築用パネル１を固定し、
ロ．次に、その固定した建築用パネル１の嵌合溝１ｆに、他の建築用パネル１の切断端１ｋを目地封止片２ｈに押し付けながら、後者の建築用パネル１の差込片１ｅを差し込み、その釘打片１ｇを壁下地７ａの柱７ｂに釘打ち固定し、
ハ．後者の建築用パネル１の差込片１ｅに続く略Ｕ字形の折り曲げが、前者の建築用パネル１の嵌合溝１ｆの釘打片１ｇの向かい側の折り返しの先端に、押し付けられて、それらの間の隙間を密閉し、
ニ．上記を繰り返し、複数の建築用パネル１により目地組材２により区画された一方の壁組７を覆い、
ニ．さらに、目地組材２により区画された他方の壁組７を、上記と同様にして複数の建築用パネル１により覆い、
ｄ．それらの建築用パネル１を施工した、壁組７に固定された目地釘打材２ａの目地嵌合溝２ｆに、目地材２ｉの目地差込片２ｋを差し込み施工し、
ｅ．目地釘打材２ａにより、次のようにして、目地材２ｉが固定され、
イ．目地釘打材２ａの目地嵌合片２ｄの目地口突起２ｅが、目地釘打材２ａの目地差込片２ｋを挟み込むことによる摩擦力と、
ロ．目地釘打材２ａの目地嵌合片２ｄの目地口突起２ｅが、目地釘打材２ａの目地差込片２ｋの目地切起２ｌに引っ掛かることによる制動力とにより、
ｆ．前記の、建築用パネル１の接続部７ｄを、目地材２ｉの目地面２ｊにより覆い、壁組７を施工する。
【実施例２】
【００２１】  図８，図９，図１０，図１１，図１２，図１３，図１４，及び図１５は、この発明の実施例２を示すものである。【００２２】Ａ．図９及び図１０に示す、実施例２においての建築用パネル１は、
ａ．金属板８による長尺の表面材１ａを成形して、次のような前面基部１ｂを形成し、
イ．その前面基部１ｂは、次の前面部１ｃと溝部１ｄとの複数の組み合わせであり、
○その前面部１ｃは、表面側に開口する断面小半径の円弧で、円弧の両端とその中心とを結ぶ角度が鈍角であり、その両側を、裏面側に開口する断面小半径の円弧で、円弧の両端とその中心とを結ぶ角度がやや鋭角である、樋状に形成し、
○その前面部１ｃと他の前面部１ｃとの間に続く溝部１ｄは、細長い平坦な面の両側を、表面側にくの字形に折り曲げた側壁とによる、樋状の窪みを形成し、
ロ．それらの、前面部１ｃと溝部１ｄとの繰り返しにより、両側を前面部１ｃから裏面側にくの字形に折り曲げて、前面部１ｃに続く溝部１ｄの片方の側壁と対称に形成した、前面基部１ｂとし、
ｂ．その前面基部１ｂの一側端に、次のような差込片１ｅを形成し、
イ．その前面基部１ｂの一側端を裏面側に鋭角的に折り曲げて、さらに、クランク状に表面側に折り曲げ、さらに、裏面側にＶ字気味のＵ字形に折り曲げて、その先端を裏面側にＶ字気味のＵ字形に折り曲げた差込片１ｅを形成し、
ロ．その差込片１ｅの根元のＵ字形を呈する屈曲部に、軟質合成樹脂１０ａによる断面が円形で紐状の溝密閉材１ｌを貼り付けてあり、
ｃ．前面基部１ｂの他側端に、次のような、嵌合溝１ｆと、釘打片１ｇとを形成し、
イ．前記の前面基部１ｂの他側端を、くの字形に表面側に折り曲げて、さらに、クランク状に裏面側に折り曲げて、そして、裏面側に折り返して、コの字形に表面側に折り曲げて、嵌合溝１ｆを形成し、
ロ．その嵌合溝１ｆを延長して、途中に表面側に突起し裏面側に開口する突条を持ち、先端を表面側に折り返した釘打片１ｇを形成し、
ｄ．また、成形した表面材１ａの裏面側に、裏面紙１ｉにより覆った、発泡合成樹脂１０ｂによる次のような、裏打材１ｈを形成し、
イ．裏面紙１ｉの長手方向に沿う端部である裏紙側端１ｊから裏面紙１ｉが、差込片１ｅの折り曲げられた内面から、その差込片１ｅと反対方向へ曲がって前面基部１ｂの仮想平均面とほぼ平行となり、
ロ．その差込片１ｅ側の近傍において、クランク状に裏面紙１ｉの表面側に曲がり、前面基部１ｂの仮想平均面とほぼ平行になり釘打片１ｇの裏面に沿い、
ハ．その裏面紙１ｉと前面基部１ｂとの間に充填された、発泡合成樹脂１０ｂを覆い、平坦な裏打材１ｈを形成し、
ｅ．そして、前記の裏面紙１ｉと同質の幅の狭い被覆材６としての被覆紙６ｄを、次のように貼り付けて、
イ．その釘打片１ｇの近傍の建築用パネル１の裏面紙１ｉの上に、その被覆紙６ｄの側端を貼り付けて、さらに、釘打片１ｇの裏面に沿わしてその先端の折返しにも貼り付けし、
ｆ．それらの表面材１ａと裏打材１ｈとを切断して、長手方向の両端に切断端１ｋを形成し、
ｇ．それらの切断端１ｋとその近傍の裏面紙１ｉとを、粘着テープ６ｅによる被覆材６としての被覆板６ｂにより被覆する。【００２３】Ｂ．図１１に示す、実施例２においての出隅組材３は、次のような出隅釘打材３ａと出隅材３ｇから構成し、
ａ．その出隅釘打材３ａは、
イ．長尺の金属板８を成形して、表面側に開口するコの字形の両端を表面側にＬ字形に折り曲げて、出隅嵌合溝３ｆを形成し、
ロ．さらに両側を、鋭角的に裏面側に折り曲げて、出隅口突起３ｅを形成し、
ハ．そして、その出隅口突起３ｅを裏面側に鋭角的に折り曲げて、出隅嵌合片３ｄを形成し、
ニ．その出隅嵌合片３ｄをくの字形に表面側に折り曲げて、その途中に次の出隅打突起３ｃを持ち、先端を表面側に折り返した出隅釘打片３ｂを形成し、
○その出隅打突起３ｃは、裏面側に開口する断面半円状の樋状に形成し、
ｂ．その出隅材３ｇは、
イ．長尺の金属板８を表面側に折り合わせて、出隅差込片３ｋを形成し、
ロ．その出隅差込片３ｋの両側に、次の構成の出隅切起３ｌを複数形成し、
○その出隅切起３ｌは、出隅差込片３ｋの金属板８を、半裁の船形に形成し、
○その船形は、船縁側を出隅差込片３ｋの折り合わせの反対側に向けて、その船縁側が切断され、金属板８の数倍の段差を形成し、
○その出隅差込片３ｋの両側に交互に突起し、
ハ．その出隅差込片３ｋの両側を、裏面側に鋭角的に折り曲げて、出隅面３ｈを形成し、
ニ．その出隅面３ｈをさらに、裏面側に折り返して、出隅内面３ｉを形成し、
ホ．その出隅内面３ｉをさらに、表面側にＬ字形に折り曲げて、その先端を裏面側に折り返した、出隅止片３ｊを形成し、
ヘ．また、その両側の出隅止片３ｊと出隅内面３ｉとの表面側に、次の出隅封止材３ｍを貼り付けてあり、
○その出隅封止材３ｍは、軟質合成樹脂１０ａを成形して、
○出隅止片３ｊと出隅内面３ｉとに合わせた、軟質合成樹脂１０ａによるＬ字形の出隅止片３ｊ側の薄板に、
○表面側に鋭角的に分岐する軟質合成樹脂１０ａによる薄板の、複数の出隅封止片３ｎが、枝分かれして形成され、
ｃ．出隅組材３の使用状態のとき、
イ．出隅釘打材３ａの出隅嵌合溝３ｆに、出隅材３ｇの出隅差込片３ｋを差し込み、
ロ．出隅材３ｇの出隅差込片３ｋが、出隅釘打材３ａの出隅口突起３ｅに挟まれる摩擦力と、
ハ．出隅材３ｇの出隅切起３ｌが、出隅釘打材３ａの出隅口突起３ｅに引っ掛かる抵抗力とにより装着され、出隅組材３を構成する。【００２４】Ｃ．図８，図１２，図１３，図１４，及び図１５に示す、実施例２の壁組７の施工は、
ａ．複数の柱７ｂ等により構成される、壁下地７ａに、
ｂ．建築用パネル１と他の建築用パネル１との出隅部７ｅの柱７ｂに、
イ．その出隅部７ｅを構成する柱７ｂの２面に、出隅組材３の出隅釘打材３ａの出隅釘打片３ｂを合わせて釘打ち固定し、
ｃ．そのようにして、施工された壁下地７ａと出隅組材３の上に、次のように複数の建築用パネル１を横張り施工し、
イ．前記の施工された、出隅釘打材３ａの出隅釘打片３ｂに、建築用パネル１の、被覆板６ｂにより被覆された切断端１ｋを乗せて、その建築用パネル１を固定し、
ロ．次に、その固定した建築用パネル１の嵌合溝１ｆに、他の建築用パネル１の差込片１ｅを差し込み、その釘打片１ｇを壁下地７ａの柱７ｂに釘打ち固定し、
ハ．後者の建築用パネル１の溝密閉材１ｌが、前者の建築用パネル１の嵌合溝１ｆの釘打片１ｇの向かい側の折り返しの先端に、押し付けられて、それらの間の隙間を密閉し、
ニ．上記を繰り返し、複数の建築用パネル１により出隅組材３により区画された一方の壁組７を覆い、
ホ．さらに、出隅組材３により区画された他方の壁組７を、上記と同様にして複数の建築用パネル１により覆い、
ｄ．それらの建築用パネル１を施工した、壁組７に固定された出隅釘打材３ａの出隅嵌合溝３ｆに、出隅材３ｇの出隅差込片３ｋを差し込み施工し、
イ．その出隅材３ｇの出隅封止材３ｍの出隅封止片３ｎを、前記の施工された、複数の建築用パネル１の、粘着テープ６ｅによる被覆板６ｂにより被覆された切断端１ｋに押し付けて、
ｅ．出隅釘打材３ａにより、次のようにして、出隅材３ｇが固定され、
イ．出隅釘打材３ａの出隅嵌合片３ｄの出隅口突起３ｅが、出隅釘打材３ａの出隅差込片３ｋを挟み込むことによる摩擦力と、
ロ．出隅釘打材３ａの出隅嵌合片３ｄの出隅口突起３ｅが、出隅釘打材３ａの出隅差込片３ｋの出隅切起３ｌに引っ掛かることによる制動力とにより、
ｆ．前記の、建築用パネル１の出隅部７ｅを、出隅材３ｇの出隅面３ｈにより覆い、壁組７を施工する。
【実施例３】
【００２５】  図１６，図１７，図１８，図１９，図２０，図２１，図２２，及び図２３は、この発明の実施例３を示すものである。【００２６】Ａ．図１７及び図１８に示す、実施例３においての建築用パネル１は、
ａ．金属板８による長尺の表面材１ａを成形して、次のような前面基部１ｂを形成し、
イ．その前面基部１ｂは、次の前面部１ｃと溝部１ｄとの複数の組み合わせにより、
○その前面部１ｃは、細長い平坦な面の両側を、裏面側にくの字形に折り曲げた前面部１ｃであり、
○その前面部１ｃと他の前面部１ｃとの間に続く溝部１ｄは、細長い平坦な面の両側を、表面側にくの字形に折り曲げた溝部１ｄを形成し、
ロ．それらの、前面部１ｃと溝部１ｄとの繰り返しにより、両側を前面部１ｃから裏面側にくの字形に折り曲げて、前面部１ｃに続く溝部１ｄの片方の側壁と対称に形成した、前面基部１ｂとし、
ｂ．その前面基部１ｂの一側端に、次のような差込片１ｅを形成し、
イ．その前面基部１ｂの一側端を裏面側に鋭角的に折り曲げて、さらに、クランク状に表面側に折り曲げ、さらに、略Ｕ字形に表面側に折り曲げて、その先端を裏面側に折り返した差込片１ｅを形成し、
ｃ．前面基部１ｂの他側端に、次のような、嵌合溝１ｆと、釘打片１ｇとを形成し、
イ．前記の前面基部１ｂの他側端を、くの字形に表面側に折り曲げて、さらに、クランク状に裏面側に折り曲げて、さらに、裏面側に折り返して、略Ｕ字形に表面側に折り曲げて、嵌合溝１ｆを形成し、
ロ．その嵌合溝１ｆを延長して、途中に表面側に突起し裏面側に開口する突条を持ち、さらに、表面側に僅か鈍角のクランク状に折り曲げて、先端を裏面側に折り返した釘打片１ｇを形成し、
ｄ．また、成形した表面材１ａの裏面側に、裏面紙１ｉにより覆った、発泡合成樹脂１０ｂによる次のような、裏打材１ｈを形成し、
イ．裏面紙１ｉの長手方向に沿う端部である裏紙側端１ｊが、差込片１ｅの先端の折り返しに挟まれて、その差込片１ｅと反対方向へ曲がって前面基部１ｂの仮想平均面とほぼ平行となり、
ロ．その差込片１ｅ側の近傍において、クランク状に裏面紙１ｉの表面側に曲がり、前面基部１ｂの仮想平均面とほぼ平行になり釘打片１ｇの裏面に沿い、
ハ．裏面紙１ｉの他方の側端が、釘打片１ｇの先端の折り返しに挟まれ
ニ．その裏面紙１ｉと前面基部１ｂとの間に充填された、発泡合成樹脂１０ｂを覆い、平坦な裏打材１ｈを形成し、
ｅ．それらの表面材１ａと裏打材１ｈとを切断して、長手方向の両端に切断端１ｋを形成し、
イ．その切断端１ｋに、次のような被覆材６としての被覆紙６ｄを貼り付けて、
ロ．その被覆紙６ｄは、前記の裏面紙１ｉと同質であり、
ハ．その切断端１ｋの端面形状に合わせた被覆紙６ｄの形状とし、
ニ、その嵌合溝１ｆ側の被覆紙６ｄは、嵌合溝１ｆまでで、
ホ．差込片１ｅ側は、前面基部１ｂを裏面側に鋭角的に折り曲げたクランク状の表面側への折り曲げまでを被覆する。【００２７】Ｂ．図１９に示す、実施例３においての出隅組材３と端封止縁９とは、次のような出隅釘打材３ａと出隅材３ｇと一対の端封止縁９から構成し、
ａ．その出隅釘打材３ａは、
イ．長尺の金属板８を成形して、表面側に開口するコの字形の両端を表面側にＬ字形に折り曲げて、出隅嵌合溝３ｆを形成し、
ロ．さらに両側を、鋭角的に裏面側に折り曲げて、出隅口突起３ｅを形成し、
ハ．そして、その出隅口突起３ｅを裏面側に鋭角的に折り曲げて、出隅嵌合片３ｄを形成し、
ニ．その出隅嵌合片３ｄをくの字形に表面側に折り曲げて、その途中に次の出隅打突起３ｃを持ち、先端を表面側に折り返した出隅釘打片３ｂを形成し、
○その出隅打突起３ｃは、裏面側に開口する断面半円状の樋状に形成し、
ｂ．その出隅材３ｇは、長尺の金属板８を成形して、
イ．ほぼＬ字形に裏面側に折り曲げられ、その両側中央を鈍角のクランク状に表側に折り曲げて出隅面３ｈとし、
ロ．その出隅面３ｈの両側をナス型に裏面側に折り返して、出隅面３ｈに重なる出隅内面３ｉとし、
ロ．出隅面３ｈの中央屈曲部において、その出隅内面３ｉを鋭角的に表面側に折り曲げて、両側を合わせて二重とし、一方の金属板８を裏面側に折り返して、他方の金属板８を挟み込み、出隅差込片３ｋを形成し、
ハ．その出隅差込片３ｋの両側に、次の構成の出隅切起３ｌを複数形成し、
○その出隅切起３ｌは、出隅差込片３ｋの金属板８を、半裁の船形に形成し、
○その船形は、船縁側を出隅面３ｈに向けて、その船縁側が切断され、金属板８の数倍の段差を形成し、
○その出隅差込片３ｋの両側に交互に突起し、
ｃ．出隅組材３の使用状態のとき、
イ．出隅釘打材３ａの出隅嵌合溝３ｆに、出隅材３ｇの出隅差込片３ｋを差し込み、
ロ．出隅材３ｇの出隅差込片３ｋが、出隅釘打材３ａの出隅口突起３ｅに挟まれる摩擦力と、
ハ．出隅材３ｇの出隅切起３ｌが、出隅釘打材３ａの出隅口突起３ｅに引っ掛かる抵抗力とにより装着され、出隅組材３を構成する。
ｄ．また、端封止縁９は、次のような端封止板９ａに端封止材９ｄを貼り合わせてあり、
イ．その端封止板９ａは、長尺の金属板８を成形して、次に示すような端釘止板９ｃを形成し、
ロ．その端釘止板９ｃは、一方の側端を表面側に折り返し、その折返しから離れた位置を浅いクランク状に表面側に折り曲げて、更に、浅いクランク状に裏面側に折り曲げて、裏面側に開口し、前記の出隅打突起３ｃの高さ以上の高さの端封止蓋９ｂを形成し、
ハ．さらに、Ｌ字形に表面側に折り曲げて、その先端を裏面側に折返し、
ニ．また、その端釘止板９ｃの表面側に貼り付けた、次の端封止材９ｄは、
○その端封止材９ｄは、軟質合成樹脂１０ａを成形して、
○端封止板９ａの端封止蓋９ｂまでに合わせた、軟質合成樹脂１０ａによる端釘止板９ｃからＬ字形に折れ曲がった側の薄板に、
○表面側に鋭角的に分岐する軟質合成樹脂１０ａによる薄板の、複数の端封止片９ｅが、枝分かれして形成されている。【００２８】Ｃ．図１６，図２０，図２１，図２２，及び図２３に示す、実施例３の壁組７の施工は、
ａ．複数の柱７ｂ等により構成される、壁下地７ａに、
ｂ．建築用パネル１と他の建築用パネル１との出隅部７ｅの柱７ｂに、
イ．その出隅部７ｅを構成する柱７ｂの２面に、出隅組材３の出隅釘打材３ａの出隅釘打片３ｂを合わせて釘打ち固定し、
ロ．その、両側の出隅釘打片３ｂに、次のように端封止縁９を止めて、
○出隅釘打片３ｂの出隅打突起３ｃに、端封止縁９の端封止蓋９ｂを被せて、
○出隅釘打材３ａの出隅嵌合片３ｄ側に、端封止縁９の端封止材９ｄを貼り付けた側を配置し、
○端封止縁９の端釘止板９ｃを釘打ち固定し、
ｃ．そのようにして、施工された壁下地７ａと出隅組材３と端封止縁９の上に、次のように複数の建築用パネル１を横張り施工し、
イ．前記の施工された、端封止縁９の端封止材９ｄの端封止片９ｅに、建築用パネル１の、被覆紙６ｄにより被覆された切断端１ｋを押し付けて、その建築用パネル１を固定し、
ロ．次に、その固定した建築用パネル１の嵌合溝１ｆに、他の建築用パネル１の切断端１ｋを端封止片９ｅに押し付けながら、後者の建築用パネル１の差込片１ｅを差し込み、その釘打片１ｇを壁下地７ａの柱７ｂに釘打ち固定し、
ハ．後者の建築用パネル１の差込片１ｅに続く略Ｕ字形の折り曲げが、前者の建築用パネル１の嵌合溝１ｆの釘打片１ｇの向かい側の折り返しの先端に、押し付けられて、それらの間の隙間を密閉し、
ニ．上記を繰り返し、複数の建築用パネル１により出隅組材３により区画された一方の壁組７を覆い、
ホ．さらに、出隅組材３により区画された他方の壁組７を、上記と同様にして複数の建築用パネル１により覆い、
ｄ．それらの建築用パネル１を施工した、壁組７に固定された出隅釘打材３ａの出隅嵌合溝３ｆに、出隅材３ｇの出隅差込片３ｋを差し込み施工し、
ｅ．出隅釘打材３ａにより、次のようにして、出隅材３ｇが固定され、
イ．出隅釘打材３ａの出隅嵌合片３ｄの出隅口突起３ｅが、出隅釘打材３ａの出隅差込片３ｋを挟み込むことによる摩擦力と、
ロ．出隅釘打材３ａの出隅嵌合片３ｄの出隅口突起３ｅが、出隅釘打材３ａの出隅差込片３ｋの出隅切起３ｌに引っ掛かることによる制動力とにより、
ｆ．前記の、建築用パネル１の出隅部７ｅを、出隅材３ｇの出隅面３ｈにより覆い、壁組７を施工する。
【実施例４】
【００２９】  図２４，図２５，図２６，図２７，図２８，図２９，及び図３０は、この発明の実施例４を示すものである。【００３０】Ａ．図２５に示す、実施例４においての建築用パネル１は、
ａ．金属板８による長尺の表面材１ａを成形して、次のような前面基部１ｂを形成し、
イ．その前面基部１ｂは、次の前面部１ｃと溝部１ｄとの複数の組み合わせにより、
○その前面部１ｃは、細長い平坦な面の両側を、裏面側にくの字形に折り曲げた前面部１ｃであり、
○その前面部１ｃと他の前面部１ｃとの間に続く溝部１ｄは、細長い平坦な面の両側を、表面側にくの字形に折り曲げた溝部１ｄを形成し、
ロ．それらの、前面部１ｃと溝部１ｄとの繰り返しにより、両側を前面部１ｃから裏面側にくの字形に折り曲げて、前面部１ｃに続く溝部１ｄの片方の側壁と対称に形成した、前面基部１ｂとし、
ｂ．その前面基部１ｂの一側端に、次のような差込片１ｅを形成し、
イ．その前面基部１ｂの一側端を裏面側に鋭角的に折り曲げて、さらに、クランク状に表面側に折り曲げ、さらに、略Ｕ字形に表面側に折り曲げて、その先端を裏面側に折り返した差込片１ｅを形成し、
ｃ．前面基部１ｂの他側端に、次のような、嵌合溝１ｆと、釘打片１ｇとを形成し、
イ．前記の前面基部１ｂの他側端を、くの字形に表面側に折り曲げて、さらに、クランク状に裏面側に折り曲げて、さらに、裏面側に折り返して、略Ｕ字形に表面側に折り曲げて、嵌合溝１ｆを形成し、
ロ．その嵌合溝１ｆを延長して、途中に表面側に突起し裏面側に開口する突条を持ち、さらに、表面側に折り返した釘打片１ｇを形成し、
ｄ．また、成形した表面材１ａの裏面側に、裏面紙１ｉにより覆った、発泡合成樹脂１０ｂによる次のような、裏打材１ｈを形成し、
イ．裏面紙１ｉの長手方向に沿う端部である裏紙側端１ｊが、差込片１ｅの先端の折り返しに挟まれて、その差込片１ｅと反対方向へ曲がって前面基部１ｂの仮想平均面とほぼ平行となり、
ロ．その差込片１ｅ側の近傍において、クランク状に裏面紙１ｉの表面側に曲がり、前面基部１ｂの仮想平均面とほぼ平行になり釘打片１ｇの裏面に沿い、
ハ．裏面紙１ｉの他方の側端が、釘打片１ｇの先端の折り返しに包むように折返し、
ニ．その裏面紙１ｉと前面基部１ｂとの間に充填された、発泡合成樹脂１０ｂを覆い、平坦な裏打材１ｈを形成し、
ｅ．それらの表面材１ａと裏打材１ｈとを切断して、長手方向の両端に切断端１ｋを形成し、
イ．施工時に下方となる切断端１ｋを、次の段落に示す被覆材６を貼り付けて、その被覆板６により被覆する。【００３１】Ｂ．図２６に示す、実施例４においての水切４と被覆材６は、
ａ．その水切４は、長尺の金属板８を成形して、
イ．平坦な水切面４ｃから側方に、クランク状に裏面側に折り曲げて、その先端を裏面側に折り返した水切脚４ｄを形成し、
ロ．その水切面４ｃから他の側方に、くの字形に裏面側に折り曲げて、流水面４ｂを形成し
ハ．その流水面４ｂを、くの字形に表面側に折り曲げて、その先端を表面側に折り返した、釘打面４ａを形成し、
ｂ．その被覆材６は、金属板８あるいは合成樹脂板１０ｃを成形して、
イ．前記の建築用パネル１の前面基部１ｂの断面形状の凹凸に合わせた、一側端を形成する被覆板６ｂとし、
ロ．その被覆板６ｂの他側端を、建築用パネル１の裏面紙１ｉに合わせて裏面側にＬ字形に折り曲げて、被覆固定板６ｆを形成し、
ハ．その被覆固定板６ｆの裏面側に、両面の粘着テープ６ｅによる粘着帯６ｃを貼り付けてあり、
ニ、建築用パネル１を施工する時に、張り始めの位置が施工者に対して左手か右手かにより、被覆固定板６ｆの折り曲げ方向の異なる、被覆材６の勝手違いが必要になる。【００３２】Ｃ．図２４，図２５，図２７，図２８，図２９，及び図３０に示す、実施例４の壁組７の施工は、
ａ．土台部７ｆの土台７ｇと、その上に立てられた複数の柱７ｂと、それらの屋外側の側面に水平に打ち付けられた複数の胴縁７ｃから構成される、壁下地７ａは、
イ．壁組７の土台部７ｆを構成する土台７ｇの下方に、２本の胴縁７ｃを続けて水平に釘打ち固定し、
ロ．また、その上方の胴縁７ｃは、建築用パネル１の耐風圧強度等の要求される所定間隔において、水平に複数釘打ち固定し、
ｂ．壁組７の土台部７ｆに、
イ．その土台７ｇの胴縁７ｃに前記の水切４を、その釘打面４ａを釘打して、水平に固定し、
ｃ．そのようにして、施工された壁下地７ａと水切４の釘打面４ａの上に、次のように複数の建築用パネル１を縦張り施工し、
イ．施工現場において、建築用パネル１の施工時に下方となる切断端１ｋを、次のように被覆材６としての被覆板６ｂを貼り付けて被覆し、
○建築用パネル１の切断端１ｋの凹凸に、被覆材６の被覆板６ｂの凹凸を合わせて、
○切断端１ｋと被覆板６ｂとの間の隙間をなくして重ね、
○被覆材６の被覆固定板６ｆの粘着帯６ｃにより、建築用パネル１の切断端１ｋの近傍の裏打材１ｈの裏面紙１ｉに貼り付けして、
ロ．前記の施工された、水切４の釘打面４ａと流水面４ｂとの角に、建築用パネル１の切断端１ｋを被覆した、被覆材６の被覆板６ｂと被覆固定板６ｅとの角を合わせて、その建築用パネル１を固定し、
ハ．次に、その固定した建築用パネル１の嵌合溝１ｆに、他の建築用パネル１の被覆材６の被覆板６ｂと被覆固定板６ｅとの角を、水切４の釘打面４ａと流水面４ｂとの角に合わせながら、後者の建築用パネル１の差込片１ｅを差し込み、その釘打片１ｇを壁下地７ａの胴縁７ｃに釘打ち固定し、
ニ．後者の建築用パネル１の差込片１ｅに続く略Ｕ字形の折り曲げが、前者の建築用パネル１の嵌合溝１ｆの釘打片１ｇの向かい側の折り返しの先端に、押し付けられて、それらの間の隙間を密閉し、
ホ．上記を繰り返し、複数の建築用パネル１により壁組７を覆い施工する。
【実施例５】
【００３３】  図３１，図３２，図３３，図３４，図３５，図３６，図３７，図３８，及び図３９は、この発明の実施例５を示すものである。【００３４】Ａ．図３３に示す、実施例５においての建築用パネル１は、
ａ．金属板８による長尺の表面材１ａを成形して、ほぼ平坦な前面基部１ｂを形成し、
ｂ．その前面基部１ｂの一側端に、次のような差込片１ｅを形成し、
イ．その差込片１ｅは、前面基部１ｂの一側端を裏面側に折り返して、さらに、クランク状に表面側に折り曲げ、さらに、Ｕ字形に表面側に折り曲げて、その先端を裏面側に折り返した差込片１ｅとして形成し、
ｃ．前面基部１ｂの他側端に、次のような、嵌合溝１ｆと、釘打片１ｇとを形成し、
イ．前記の前面基部１ｂを、くの字形に裏面側に折り曲げて、さらに、クランク状に裏面側に折り曲げて、そして、裏面側に折り返して、Ｕ字形に表面側に折り曲げて、嵌合溝１ｆを形成し、
ロ．その嵌合溝１ｆを延長して、先端を表面側に折り返した釘打片１ｇを形成し、
ｄ．また、成形した表面材１ａの裏面側に、裏面紙１ｉにより覆った、発泡合成樹脂１０ｂによる次のような、裏打材１ｈを形成し、
イ．裏面紙１ｉは、その長手方向に沿う端部である裏紙側端１ｊから、差込片１ｅから前面基部１ｂ側に続く表面材１ａの裏面に沿って曲がり、さらに、その差込片１ｅと反対方向へ曲がって前面基部１ｂとほぼ平行となり、
ロ．その差込片１ｅ側の近傍において、クランク状に裏面紙１ｉの表面側に曲がり、前面基部１ｂとほぼ平行になり釘打片１ｇ側に続き、
ハ．そして、釘打片１ｇ側において釘打片１ｇの裏面側にホットメルトにより貼り付けられて、
ニ．その裏面紙１ｉと前面基部１ｂとの間に充填された、発泡合成樹脂１０ｂを覆い、平坦な裏打材１ｈを形成し、
ｅ．それらの表面材１ａと裏打材１ｈとを切断して、長手方向の両端に切断端１ｋを形成し、
ｆ．また、その建築用パネル１を窓回部７ｈに施工する場合は、施工現場において建築用パネル１を幅方向や長手方向に切断されて、切込端１ｍを形成し、
イ．その切込端１ｍを次の段落に示す、被覆材６により被覆する。【００３５】Ｂ．図３４及び図３５に示す、実施例５においての水切４と被覆材６と見切縁５と孔付見切縁５ａと隅角被覆５ｈとは、
ａ．その水切４は、長尺の金属板８を成形して、
イ．平坦な水切面４ｃから側方に、クランク状に裏面側に折り曲げて、その先端を裏面側に折り返した水切脚４ｄを形成し、
ロ．その水切面４ｃから他の側方に、くの字形に裏面側に折り曲げて、流水面４ｂを形成し
ハ．その流水面４ｂを、くの字形に表面側に折り曲げて、その先端を表面側に折り返した、釘打面４ａを形成し、
ｂ．その被覆材６は、長尺の金属板８を成形して、
イ．ほぼ平坦な被覆板６ｂを形成し、
ロ．その被覆板６ｂを、裏面側にＬ字形に折り曲げて、被覆固定板６ｆを形成し、
ハ．その被覆固定板６ｆの裏面側に、両面の粘着テープ６ｅによる粘着帯６ｃを貼り付けてあり、
ｃ．その見切縁５は、長尺の金属板８を成形して、
イ．平坦な一端を裏面側に折り返した見切片５ｃを形成し、
ロ．その見切片５ｃの他端を、裏面側にクランク状に折り曲げて、さらに、表面側にクランク状に折り曲げて、見切係止溝５ｅを形成し、
ハ．さらに、延長して、その先端を裏面側に折り返した、見切底５ｄを形成し、
ニ．その見切底５ｄを裏面側にＬ字形に折り曲げて、表面側に開口する断面三角形の突条を持ち、先端を裏面側に折り返した、ほぼ平坦な見切釘打片５ｂを形成し、
ホ．その見切釘打片５ｂと見切底５ｄと見切片５ｃとにより、見切樋５ｆを構成し、
ｄ．その孔付見切縁５ａは、
イ．その見切縁５の見切底５ｄから見切係止溝５ｅの両側に亘って、孔を開けた見切水抜孔５ｇを複数形成し、
ｅ．隅角被覆５ｈは、金属板８を成形して、
イ．ほぼ直角二等辺三角形の斜辺の中央部を、一回り小さな直角二等辺三角形により、切り欠かれた形状の隅角面５ｉとし、
ロ．その隅角面５ｉの、直角を構成する両外辺を、裏面側に半円形に折り曲げて隅角引掛片５ｊを形成し、
ハ．その隅角引掛片５ｊの向かい側の隅角面５ｉを裏面側にＬ字形に折り曲げ、ほぼ矩形で鈍角なクランク状に裏面側に折り曲げた、隅角押止片５ｋを形成する。【００３６】Ｃ．図３１，図３２，図３３，図３６，図３７，図３８，及び図３９に示す、実施例５の壁組７の施工は、
ａ．複数の柱７ｂ等により構成される、壁下地７ａの柱７ｂの屋外側の間に、
イ．窓廻部７ｈの、次の窓枠７ｉを取り付け、
ロ．その窓枠７ｉは、窓廻部７ｈの下部の窓下枠７ｌと、その両側から立ち上がる窓縦枠７ｊと、その上部の窓上枠７ｋから構成され、
ｂ．壁組７においての、窓枠７ｉの周囲と柱７ｂの屋外側の側面に、次のように胴縁７ｃと、水切４と、見切縁５と、孔付見切縁５ａとを施工し、
イ．窓廻部７ｈの下部の窓下枠７ｌの下方に胴縁７ｃを、水平に釘打ち固定し、
ロ．窓廻部７ｈの上部の窓上枠７ｋの上方に胴縁７ｃを、水平に釘打ち固定し、
ハ．窓廻部７ｈの両側の窓縦枠７ｊの外側方に胴縁７ｃを、垂直に釘打ち固定し、
ニ．柱７ｂの屋外側の側面に幅の狭い胴縁７ｃを、垂直に釘打ち固定し、
ホ．窓廻部７ｈの下部の窓下枠７ｌの下方に、見切縁５の見切底５ｄを沿わして、その見切釘打片５ｂを釘打ち固定し、
ヘ．窓廻部７ｈの両側の窓縦枠７ｊの外側方に、見切縁５の見切底５ｄを沿わして、その見切釘打片５ｂを釘打ち固定し、
ト．窓廻部７ｈの上部の窓上枠７ｋの上方に、水切４の流水面４ｂを乗せて、
○その左右の端部の流水面４ｂに長手方向に、両側の窓縦枠７ｊの外側方に施工された見切縁５の断面形状に合わせて切り欠きを入れて、
○また、その水切４の端部は、水切脚４ｄの見切縁５に当たる部分を切り欠くと共に、水切面４ｃとその近辺の流水面４ｂと水切脚４ｄとを裏面側に折り曲げて、水切面４ｃの裏側に発生する空間に蓋をして、
○その水切４の釘打面４ａを釘打ち固定し、
チ．その固定した水切４の流水面４ｂの上に、孔付見切縁５ａの見切底５ｄを乗せて、その見切釘打片５ｂを釘打ち固定し、
ｃ．そのようにして、施工された壁下地７ａの上に、次のように複数の建築用パネル１を横張り施工し、
イ．その施工された壁下地７ａの上に、水平に建築用パネル１を固定し、
ロ．次に、その固定した建築用パネル１の嵌合溝１ｆに、他の建築用パネル１の差込片１ｅを差し込み、その釘打片１ｇを壁下地７ａの胴縁７ｃに釘打ち固定し、
ハ．後者の建築用パネル１の差込片１ｅに続く略Ｕ字形の折り曲げが、前者の建築用パネル１の嵌合溝１ｆの釘打片１ｇの向かい側の折り返しの先端に、押し付けられて、それらの間の隙間を密閉し、
ニ．上記を繰り返し、複数の建築用パネル１により窓廻部７ｈより下方の壁組７を覆い、
ホ．そして、建築用パネル１に幅方向と長手方向に次のように切り込みを入れて、切込端１ｍを形成し、
○その切込端１ｍは、窓廻部７ｈの窓下枠７ｌの下方の見切縁５の見切底５ｄと、窓廻部７ｈの窓縦枠７ｊの外側方の見切縁５の見切底５ｄとにより、窓廻部７ｈがないとして施工した場合の建築用パネル１を大きめに切り欠いて形成し、
○それらの幅方向の切込端１ｍと長手方向の切込端１ｍに合わせて、前記の被覆材６を切断して、それらの切込端１ｍを被覆板６ｂにより覆い、その被覆固定板６ｆの粘着帯６ｃにより、それぞれの切込端１ｍの近傍の建築用パネル１の裏打材１ｈに固定し、
ヘ．次に、その切込端１ｍを形成した建築用パネル１を次のように施工し、
○窓廻部７ｈの下方の建築用パネル１の嵌合溝１ｆに、切込端１ｍを形成した建築用パネル１の差込片１ｅを差し込み、
○その長手方向の切込端１ｍを、窓廻部７ｈの下方の見切縁５の見切片５ｃと見切底５ｄにより覆い、
○その幅方向の切込端１ｍを、窓廻部７ｈの外側方の見切縁５の見切片５ｃと見切底５ｄにより覆い、
○その釘打片１ｇを壁下地７ａの胴縁７ｃに釘打ち固定し、
ト．また、建築用パネル１の幅方向を次のように切り取って、切込端１ｍを形成し、
○その切込端１ｍは、窓廻部７ｈの窓縦枠７ｊの外側方の見切縁５の見切底５ｄにより、窓廻部７ｈがないとして施工した場合の建築用パネル１を大きめに切り取って形成し、
○それらの幅方向の切込端１ｍに合わせて、前記の被覆材６を切断して、その切込端１ｍを被覆板６ｂにより覆い、その被覆固定板６ｆの粘着帯６ｃにより、その切込端１ｍの近傍の建築用パネル１の裏打材１ｈに固定し、
チ．次に、その切込端１ｍを形成した建築用パネル１を次のように施工し、
○窓廻部７ｈの外側方の建築用パネル１の嵌合溝１ｆに、切込端１ｍを形成した建築用パネル１の差込片１ｅを差し込み、
○その幅方向の切込端１ｍを、窓廻部７ｈの外側方の見切縁５の見切片５ｃと見切底５ｄにより覆い、
○その釘打片１ｇを壁下地７ａの胴縁７ｃに釘打ち固定し、
○この実施例５より窓縦枠が長い場合は、さらに上記を繰り返す事も可能であり、
○またこの実施例５より窓縦枠が短い場合は、上記を省く場合もあり、
リ．そして、建築用パネル１に幅方向と長手方向に次のように切り込みを入れて、切込端１ｍを形成し、
○その切込端１ｍは、窓廻部７ｈの窓上枠７ｋの上方の見切縁５の見切底５ｄと、窓廻部７ｈの窓縦枠７ｊの外側方の見切縁５の見切底５ｄとにより、窓廻部７ｈがないとして施工した場合の建築用パネル１を大きめに切り欠いて形成し、
○それらの幅方向の切込端１ｍと長手方向の切込端１ｍに合わせて、前記の被覆材６を切断して、それらの切込端１ｍを被覆板６ｂにより覆い、その被覆固定板６ｆの粘着帯６ｃにより、それぞれの切込端１ｍの近傍の建築用パネル１の裏打材１ｈに固定し、
ヌ．次に、その切込端１ｍを形成した建築用パネル１を次のように施工し、
○窓廻部７ｈの外側方の建築用パネル１の嵌合溝１ｆに、切込端１ｍを形成した建築用パネル１の差込片１ｅを差し込み、
○その長手方向の切込端１ｍを、窓廻部７ｈの上方の見切縁５の見切片５ｃと見切底５ｄにより覆い、
○その幅方向の切込端１ｍを、窓廻部７ｈの外側方の見切縁５の見切片５ｃと見切底５ｄにより覆い、
○その釘打片１ｇを壁下地７ａの胴縁７ｃに釘打ち固定し、
ル．次に、その固定した建築用パネル１の嵌合溝１ｆに、他の建築用パネル１の差込片１ｅを差し込み、その釘打片１ｇを壁下地７ａの胴縁７ｃに釘打ち固定し、
ヲ．上記を繰り返し、窓廻部７ｈより上方の壁組７を複数の建築用パネル１により覆い、
ｄ．そして、次のように隅角被覆５ｈを施工し、
イ．窓廻部７ｈの窓下枠７ｌの下方の見切縁５の見切片５ｃと、窓縦枠７ｊの外側方の見切縁５の見切片５ｃとの角に、隅角被覆５ｈの隅角面５ｉを被せて、
○前者と後者の見切縁５の見切片５ｃの先端に、隅角被覆５ｈのそれぞれに対応する隅角引掛片５ｊを引掛て、
○それぞれの見切縁５の見切係止溝５ｅに、隅角被覆５ｈのそれぞれに対応する隅角押止片５ｋを差し込み、
ロ．前記の水切４の水切面４ｃの裏側に発生する空間に蓋をした端部と、窓縦枠７ｊの外側方の見切縁５の見切片５ｃとの隙間に、隅角被覆５ｈの隅角面５ｉを差し込み、窓廻部７ｈの窓上枠７ｋの上方の孔付見切縁５ａの見切片５ｃと、窓縦枠７ｊの外側方の見切縁５の見切片５ｃとの角に、その隅角被覆５ｈの隅角面５ｉを被せて、
○孔付見切縁５ａと見切縁５のそれぞれの見切片５ｃの先端に、隅角被覆５ｈのそれぞれに対応する隅角引掛片５ｊを引掛て、
○孔付見切縁５ａと見切縁５の見切係止溝５ｅに、隅角被覆５ｈのそれぞれに対応する隅角押止片５ｋを差し込み、施工し、
ハ．上記のようにして、見切縁５や孔付見切縁５ａの互いに直交する見切片５ｃを、隅角被覆５ｈの隅角引掛片５ｊと隅角押止片５ｋとにより挟むことにより、隅角被覆５ｈを直交する２方向を規制し、隅角引掛片５ｊが見切片５ｃに引っ掛かることにより、その２方向に直交する方向も規制し、見切縁５や孔付見切縁５ａに隅角被覆５ｈが挿着される。
【図面の簡単な説明】
【００３７】
【図１】壁組の施工状態を示す一部省略水平断面図（実施例１）
【図２】建築用パネルを示す一部省略斜視図（実施例１）
【図３】目地組材を示す一部省略斜視図（実施例１）
【図４】壁組の施工途中の状態を示す一部省略斜視図（実施例１）
【図５】壁組の施工途中の状態を示す一部省略拡大斜視図（実施例１）
【図６】壁組の施工状態を示す一部省略拡大斜視図（実施例１）
【図７】壁組の施工状態を示す一部省略斜視図（実施例１）
【図８】壁組の施工状態を示す一部省略水平断面図（実施例２）
【図９】建築用パネルを示す一部省略拡大斜視図（実施例２）
【図１０】建築用パネルを示す一部省略斜視図（実施例２）
【図１１】出隅組材を示す一部省略斜視図（実施例２）
【図１２】壁組の施工途中の状態を示す一部省略斜視図（実施例２）
【図１３】壁組の施工途中の状態を示す一部省略拡大斜視図（実施例２）
【図１４】壁組の施工状態を示す一部省略拡大斜視図（実施例２）
【図１５】壁組の施工状態を示す一部省略斜視図（実施例２）
【図１６】壁組の施工状態を示す一部省略水平断面図（実施例３）
【図１７】建築用パネルを示す一部省略斜視図（実施例３）
【図１８】建築用パネルを示す一部省略拡大斜視図（実施例３）
【図１９】出隅組材と端封止縁とを示す一部省略斜視図（実施例３）
【図２０】壁組の施工途中の状態を示す一部省略斜視図（実施例３）
【図２１】壁組の施工途中の状態を示す一部省略拡大斜視図（実施例３）
【図２２】壁組の施工状態を示す一部省略拡大斜視図（実施例３）
【図２３】壁組の施工状態を示す一部省略斜視図（実施例３）
【図２４】壁組の施工状態を示す一部省略垂直断面図（実施例４）
【図２５】建築用パネルと被覆材とを示す一部省略斜視図（実施例４）
【図２６】水切と被覆材とを示す一部省略斜視図（実施例４）
【図２７】壁組の施工途中の状態を示す一部省略斜視図（実施例４）
【図２８】壁組の施工途中の状態を示す一部省略拡大斜視図（実施例４）
【図２９】壁組の施工状態を示す一部省略拡大斜視図（実施例４）
【図３０】壁組の施工状態を示す一部省略斜視図（実施例４）
【図３１】壁組の施工状態を示す一部省略垂直断面図（実施例５）
【図３２】壁組の施工状態を示す一部省略水平断面図（実施例５）
【図３３】建築用パネルと被覆材とを示す一部省略斜視図（実施例５）
【図３４】水切と孔付見切縁と被覆材とを示す一部省略斜視図（実施例５）
【図３５】見切縁と隅角被覆とを示す一部省略斜視図（実施例５）
【図３６】壁組の施工途中の状態を示す一部省略斜視図（実施例５）
【図３７】壁組の施工途中の状態を示す一部省略拡大斜視図（実施例５）
【図３８】壁組の施工状態を示す一部省略拡大斜視図（実施例５）
【図３９】壁組の施工状態を示す一部省略斜視図（実施例５）
【符号の説明】
【００３８】        １  建築用パネル
２  目地組材
３  出隅組材
４  水切
５  見切縁
６  被覆材
７  壁組
８  金属板
９  端封止縁
１０  合成樹脂
【図１】
0005508689.tif 000002
【図２】
0005508689.tif 000003
【図３】
0005508689.tif 000004
【図４】
0005508689.tif 000005
【図５】
0005508689.tif 000006
【図６】
0005508689.tif 000007
【図７】
0005508689.tif 000008
【図８】
0005508689.tif 000009
【図９】
0005508689.tif 000010
【図１０】
0005508689.tif 000011
【図１１】
0005508689.tif 000012
【図１２】
0005508689.tif 000013
【図１３】
0005508689.tif 000014
【図１４】
0005508689.tif 000015
【図１５】
0005508689.tif 000016
【図１６】
0005508689.tif 000017
【図１７】
0005508689.tif 000018
【図１８】
0005508689.tif 000019
【図１９】
0005508689.tif 000020
【図２０】
0005508689.tif 000021
【図２１】
0005508689.tif 000022
【図２２】
0005508689.tif 000023
【図２３】
0005508689.tif 000024
【図２４】
0005508689.tif 000025
【図２５】
0005508689.tif 000026
【図２６】
0005508689.tif 000027
【図２７】
0005508689.tif 000028
【図２８】
0005508689.tif 000029
【図２９】
0005508689.tif 000030
【図３０】
0005508689.tif 000031
【図３１】
0005508689.tif 000032
【図３２】
0005508689.tif 000033
【図３３】
0005508689.tif 000034
【図３４】
0005508689.tif 000035
【図３５】
0005508689.tif 000036
【図３６】
0005508689.tif 000037
【図３７】
0005508689.tif 000038
【図３８】
0005508689.tif 000039
【図３９】
0005508689.tif 000040